【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
ターゲットに対して液体を噴射する液体噴射ヘッドと、前記液体を貯留する液体収容体と、該液体収容体から前記液体の供給を受けると共に該液体を前記液体噴射ヘッドに供給するバルブユニットとを備え、
前記バルブユニットは、
前記液体収容体に供給路を介して連通すると共に前記液体噴射ヘッドに排出路を介して連通する圧力室と、
開弁動作又は閉弁動作することにより前記供給路を開放又は閉鎖する弁体と、
該弁体を前記供給路が閉鎖される閉弁方向に付勢するバネと、
前記圧力室内の圧力状態に応じて変形可能に構成され、前記圧力室内の前記液体の減少に伴い発生する負圧により変形した際には、その変形を前記弁体に伝達することにより該弁体を前記バネの付勢力に抗して前記供給路が開放される開弁方向に動作させる駆動体と
を備えた液体噴射装置。
【請求項２】
前記駆動体は可撓性を有するフィルムを有し、前記圧力室は前記フィルムが剛性を有するケースの側面に形成された凹部を覆うように前記ケースの側面に貼着されることにより形成されている請求項１に記載の液体噴射装置。
【請求項３】
前記フィルムには剛性を有する受圧板が固着されており、前記圧力室内の前記液体の減少に伴い発生する負圧により前記フィルムが変形した際には、前記受圧板が移動して前記弁体を開弁方向に押圧する請求項２に記載の液体噴射装置。
【請求項４】
ターゲットに対して液体を噴射する液体噴射ヘッドと、前記液体を貯留する液体収容体とを備えた液体噴射装置に、前記液体収容体から前記液体の供給を受けると共に該液体を前記液体噴射ヘッドに供給するために備えられるバルブユニットであって、
前記液体収容体に供給路を介して連通すると共に前記液体噴射ヘッドに排出路を介して連通する圧力室と、
開弁動作又は閉弁動作することにより前記供給路を開放又は閉鎖する弁体と、
該弁体を前記供給路が閉鎖される閉弁方向に付勢するバネと、
前記圧力室内の圧力状態に応じて変形可能に構成され、前記圧力室内の前記液体の減少に伴い発生する負圧により変形した際には、その変形を前記弁体に伝達することにより該弁体を前記バネの付勢力に抗して前記供給路が開放される開弁方向に動作させる駆動体と
を備えたバルブユニット。
【請求項５】
前記駆動体は可撓性を有するフィルムを有し、前記圧力室は前記フィルムが剛性を有するケースの側面に形成された凹部を覆うように前記ケースの側面に貼着されることにより形成されている請求項４に記載のバルブユニット。
【請求項６】
前記フィルムには剛性を有する受圧板が固着されており、前記圧力室内の前記液体の減少に伴い発生する負圧により前記フィルムが変形した際には、前記受圧板が移動して前記弁体を開弁方向に押圧する請求項５に記載のバルブユニット。
【手続補正２】
【補正対象書類名】明細書
【補正対象項目名】発明の名称
【補正方法】変更
【補正の内容】
【発明の名称】液体噴射装置及びバルブユニット
【手続補正３】
【補正対象書類名】明細書
【補正対象項目名】０００１
【補正方法】変更
【補正の内容】
【０００１】
本発明は、液体噴射装置及びバルブユニットに関するものである。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
ところで、インクカートリッジ２７１から記録ヘッド２７２へのインクの供給は、記録ヘッド２７２でのインク消費量が増加した場合にも確実に供給されることが望ましい。
この発明は、液体収容体から液体噴射ヘッドに確実に液体を供給することができる液体噴射装置及びバルブユニットを提供することを目的とする。
【手続補正６】
【補正対象書類名】明細書
【補正対象項目名】０００７
【補正方法】変更
【補正の内容】
【０００７】
上記の目的を達成するために、請求項１に記載の液体噴射装置は、ターゲットに対して液体を噴射する液体噴射ヘッドと、前記液体を貯留する液体収容体と、該液体収容体から前記液体の供給を受けると共に該液体を前記液体噴射ヘッドに供給するバルブユニットとを備え、前記バルブユニットは、前記液体収容体に供給路を介して連通すると共に前記液体噴射ヘッドに排出路を介して連通する圧力室と、開弁動作又は閉弁動作することにより前記供給路を開放又は閉鎖する弁体と、該弁体を前記供給路が閉鎖される閉弁方向に付勢するバネと、前記圧力室内の圧力状態に応じて変形可能に構成され、前記圧力室内の前記液体の減少に伴い発生する負圧により変形した際には、その変形を前記弁体に伝達することにより該弁体を前記バネの付勢力に抗して前記供給路が開放される開弁方向に動作させる駆動体とを備えたことを要旨とする。
【手続補正７】
【補正対象書類名】明細書
【補正対象項目名】０００８
【補正方法】変更
【補正の内容】
【０００８】
請求項２に記載の発明は、請求項１に記載の発明において、前記駆動体は可撓性を有するフィルムを有し、前記圧力室は前記フィルムが剛性を有するケースの側面に形成された凹部を覆うように前記ケースの側面に貼着されることにより形成されていることを要旨とする。
請求項３に記載の発明は、請求項２に記載の発明において、前記フィルムには剛性を有する受圧板が固着されており、前記圧力室内の前記液体の減少に伴い発生する負圧により前記フィルムが変形した際には、前記受圧板が移動して前記弁体を開弁方向に押圧することを要旨とする。
【手続補正８】
【補正対象書類名】明細書
【補正対象項目名】０００９
【補正方法】変更
【補正の内容】
【０００９】
請求項４に記載の発明は、ターゲットに対して液体を噴射する液体噴射ヘッドと、前記液体を貯留する液体収容体とを備えた液体噴射装置に、前記液体収容体から前記液体の供給を受けると共に該液体を前記液体噴射ヘッドに供給するために備えられるバルブユニットであって、前記液体収容体に供給路を介して連通すると共に前記液体噴射ヘッドに排出路を介して連通する圧力室と、開弁動作又は閉弁動作することにより前記供給路を開放又は閉鎖する弁体と、該弁体を前記供給路が閉鎖される閉弁方向に付勢するバネと、前記圧力室内の圧力状態に応じて変形可能に構成され、前記圧力室内の前記液体の減少に伴い発生する負圧により変形した際には、その変形を前記弁体に伝達することにより該弁体を前記バネの付勢力に抗して前記供給路が開放される開弁方向に動作させる駆動体とを備えたことを要旨とする。
【手続補正９】
【補正対象書類名】明細書
【補正対象項目名】００１０
【補正方法】変更
【補正の内容】
【００１０】
請求項５に記載の発明は、請求項４に記載の発明において、前記駆動体は可撓性を有するフィルムを有し、前記圧力室は前記フィルムが剛性を有するケースの側面に形成された凹部を覆うように前記ケースの側面に貼着されることにより形成されていることを要旨とする。
【手続補正１０】
【補正対象書類名】明細書
【補正対象項目名】００１１
【補正方法】変更
【補正の内容】
【００１１】
請求項６に記載の発明は、請求項５に記載の発明において、前記フィルムには剛性を有する受圧板が固着されており、前記圧力室内の前記液体の減少に伴い発生する負圧により前記フィルムが変形した際には、前記受圧板が移動して前記弁体を開弁方向に押圧することを要旨とする。
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
本発明によれば、液体収容体から液体噴射ヘッドに確実に液体を供給することができる液体噴射装置及びバルブユニットを提供することができる。